(57)【特許請求の範囲】
【請求項１】
メインデータとなる監視対象の映像が圧縮されたものである圧縮メインデータをネットワークから入力する入力手段と、
前記メインデータに関するサブデータであって、前記メインデータと同一の圧縮符号化方式により圧縮された圧縮サブデータを記憶する記憶手段と、
所定のタイミングで前記圧縮メインデータと前記圧縮サブデータのいずれかを選択出力する切替手段と、
前記切替手段から出力される前記圧縮メインデータと前記圧縮サブデータとを復号する復号手段と、
前記復号手段により復号された前記メインデータと前記サブデータとをメモリ上で重畳し、モニタに出力する重畳手段とを備え、
前記切替手段は、前記圧縮サブデータの入力の要求がある場合に、前記復号手段における前記圧縮メインデータの１フレーム分の復号処理が終了した後に前記圧縮サブデータを選択出力する動作を該１フレーム毎に行い、前記重畳手段は、復号された前記サブデータを、先に復号された前記メインデータに重畳することを特徴とする映像復号装置。
【請求項２】
前記同一の圧縮符号化方式はＪＰＥＧ（Joint Photographic Experts Group）であり、前記サブデータは、前記映像を撮影したカメラの機器情報又は監視地点の情報であり、前記記憶手段は、前記圧縮サブデータとして１フレームの半分の大きさの画像データを複数パターン記憶するものであり、前記重畳手段は、復号された前記サブデータを、復号された前記メインデータのフレームの下半分に上書きして重畳することを特徴とする請求項１記載の映像復号装置。
【発明の詳細な説明】
【技術分野】
【０００１】
この発明は、圧縮されたデータを復号した後に、別のデータを重畳して出力する復号装置に関する。
【背景技術】
【０００２】
従来から、ホテルやビル、コンビニエンスストアや金融機関、あるいはダムや道路といった公共施設には、犯罪抑止や事故防止等の目的で、映像監視システムが設置されている。このシステムでは、各地点に設けられた監視カメラによる映像は、ネットワークを介して監視センタに伝送され、監視者は伝送されるカメラ映像により統合監視を行うことができる。
【０００３】
しかしながら、映像データはデータ量が多く伝送に時間がかかるため、監視者が異常発生時の映像を短時間に確認できない場合がある。そこで、通常時の映像を予め監視センタに記憶しておき、異常が発生すると、通常時の映像との差分を抽出し、この差分データのみをネットワーク伝送し、通常時の映像に差分映像を合成する手法が提案されている（例えば、特許文献１を参照。）。
【０００４】
また、監視システムにおいて、監視カメラにより撮像された映像（以下、メインデータ）を識別するために、カメラの機器情報や監視地点の情報など（以下、サブデータと称する。）を重畳する必要がある。監視カメラから到来する映像データは、ネットワークの伝送効率を高めるため、所定の圧縮符号化形式に圧縮されて送信される。これに対し、通常サブデータは、非圧縮のデータとして取り扱われるため、サブデータを記憶するために多くのメモリ容量が必要であった。
【０００５】
【特許文献１】特開平１１−２５３８３号公報
【発明の開示】
【発明が解決しようとする課題】
【０００６】
上述したように、従来の監視システムでは、サブデータを記憶するために多くのメモリ容量を必要としていた。例えば、ＳＤＴＶ形式の映像重畳システムを一例に挙げると、ＳＤＴＶ形式の１フレーム分の映像データは約７００Ｋバイトである。仮に、１フレームの半分を映像重畳するには、重畳するデータを約３５０Ｋバイト蓄積する必要がある。更に、１０パターンの映像重畳を切り替えて行うとすると、約３．５Ｍバイトものメモリ容量が必要となる。これにより、装置の小型化・低価格化を実施する過程で、メモリ容量の削減が課題であった。
【０００７】
この発明は上記事情に着目してなされたもので、その目的とするところは、圧縮されたデータ復号した後に、別のデータを重畳して出力する場合に、必要なメモリ容量を削減し、装置の小型化・低価格化を実現する復号装置を提供することにある。
【課題を解決するための手段】
【０００８】
上記目的を達成するためにこの発明の復号装置は、圧縮された第１のデータを入力する入力手段と、圧縮された第２のデータを記憶する記憶手段と、所定のタイミングで圧縮された前記第１のデータと圧縮された前記第２のデータのいずれかを選択出力する切替手段と、前記切替手段から出力される圧縮された前記第１のデータと圧縮された前記第２のデータとを復号する復号手段と、前記復号された前記第１のデータと前記第２のデータとを重畳する重畳手段とを具備することを特徴とする。
【０００９】
上記構成では、第２のデータを圧縮符号化して記憶しておき、所定のタイミングで第２のデータを復号して第１のデータに重畳するようにしている。これにより、例えば、サブデータを圧縮せずに記憶していた場合と比較すると、必要なメモリ容量を削減することが可能となる。
【００１０】
また、この発明の復号装置は、次のような構成を備えることも特徴とする。  
第１の圧縮方式で圧縮された第１のデータを入力する入力手段と、前記第１の圧縮方式と異なる第２の圧縮方式で圧縮された第２のデータを記憶する記憶手段と、前記第１のデータを復号する第１の復号手段と、前記第２のデータを復号する第２の復号手段と、所定のタイミングで復号された前記第１のデータと復号された前記第２のデータのいずれかを選択出力する切替手段と、前記選択出力された前記第１のデータと前記第２のデータとを重畳する重畳手段とを具備する。
【００１１】
上記構成では、第１のデータと第２のデータの圧縮形式が異なる場合に、それぞれの圧縮方式に対応する復号手段を備え、第１の復号手段により復号された第１のデータに第２の復号手段により第２のデータを重畳するようにしている。このように構成すると、例えば、メインデータ及びサブデータの圧縮形式に制限されることがないため、汎用性が向上する。
【発明の効果】
【００１２】
したがってこの発明によれば、圧縮されたデータ復号した後に、別のデータを重畳して出力する場合に、必要なメモリ容量を削減し、装置の小型化・低価格化を実現する復号装置を提供することができる。
【発明を実施するための最良の形態】
【００１３】
以下、本発明の実施の形態について図面を参照しながら説明する。  
図１は、一般的な監視システムの構成を示す概略図である。監視地点には、ネットワーク型監視カメラ１やアナログ監視カメラ３が設置され、メインデータとなる監視対象の映像が撮像される。ネットワーク型監視カメラ１は、撮像した映像を圧縮処理したのちネットワークＮＷに送出する。アナログ監視カメラ３により撮像された映像は、ＷＥＢサーバ４に供給され、ＷＥＢサーバ４において圧縮処理されたのちに、ネットワークＮＷに送出される。一方、監視センタには、ＰＣビューア２やＷＥＢサーバ５及びモニタ6が配置され、上述したようにネットワークＮＷを介して送信される圧縮処理されたカメラ映像を復号して表示する。この発明の復号装置は、ＰＣビューア２やＷＥＢサーバ５に搭載されるものである。
【００１４】
図２は、この発明に係わる復号装置の一実施形態を示すブロック図である。この復号装置は、圧縮データ切替部１−１と、復号化処理部１−２と、重畳処理部１−３と、サブデータ記憶部１−４とを備える。サブデータ記憶部１−４には、メインデータに重畳するサブデータ（カメラの機器情報や監視地点の情報など）が圧縮符号化されて記憶される。圧縮データ切替部１−１は、ネットワークＮＷを介して受信される圧縮されたメインデータ（以下、圧縮メインデータと称する。）と、サブデータ記憶部１−４から読み出される圧縮されたサブデータ（以下、圧縮サブデータと称する。）のいずれかを所定のタイミングで選択出力する。
【００１５】
また、復号化処理部１−２は、上記圧縮データ切替部１−１から選択出力される圧縮メインデータ及び圧縮サブデータの復号処理を行う。重畳処理部１−３は、ＲＡＭ等の作業用メモリを備え、復号化処理部１−２から供給される復号されたメインデータを一時記憶しておき、その後に供給される復号されたサブデータを作業用メモリ上で重畳し、モニタ等に出力する。
【００１６】
次に、このように構成される復号装置の動作について説明する。図３は、この復号装置の動作の手順とその内容を示すフローチャートである。  
ここで、圧縮メインデータ１−（Ａ）はネットワークＮＷから受信するものとする。また、図２に示すように出力データ１−（Ｄ）に重畳したい画像データは、ＳＤＴＶ形式のフレームの半分に相当するデータとする。そのデータサイズは約３５０Ｋバイトである。この重畳したいデータに対し、例えばＪＰＥＧ（Joint Photographic imaging coding Experts Group）の圧縮符号化処理を行い、これを圧縮サブデータ１−（Ｅ）としてあらかじめサブデータ記憶部１−４に記憶しておく。この場合、圧縮符号化処理の設定を高画質とすると、圧縮サブデータ１−（Ｅ）のデータサイズは約２１Ｋバイトとなる。また、圧縮メインデータ１−（Ａ）と圧縮サブデータ１−（Ｅ）は、同一の圧縮符号化方式により圧縮符号化処理された圧縮データとする。
【００１７】
初めに、重畳処理を行わない場合の基本動作について説明する。ネットワークＮＷから圧縮メインデータ１−（Ａ）を受信すると、圧縮データ切替部１−１は、圧縮メインデータ１−（Ａ）を復号化処理部１−２へ入力する。復号化処理部１−２では、圧縮メインデータに対して復号化処理を行い、ベースバンドのメインデータを伸張データ１−（Ｃ）として出力する。伸張データ１−（Ｃ）は重畳処理部１−３に入力され、一時的に作業用メモリに記憶された後、システムからの出力要求に応じて出力データ１−（Ｄ）として出力される。
【００１８】
次に、重畳処理を行う場合の動作について説明する。図３は、図２に示す復号装置の動作の手順とその内容を示すフローチャートである。また、図４は、この復号装置における復号動作を示すタイムチャートである。  
図３において、ステップＳ３１により、圧縮データ切替部１−１を圧縮メインデータの入力側に設定し、ステップＳ３２において、上述した手順で受信した圧縮メインデータ１−（Ａ）を復号し、伸張データ１−（Ｃ）として重畳処理部１−３へ入力する。
【００１９】
ここで、ステップＳ３３において、所定の圧縮データ入力タイミングで、ステップＳ３４に移行し、圧縮データ切替部１−１をサブデータ側に切り替える。そして、ステップＳ３５により、サブデータ記憶部１−４から所望の圧縮サブデータ１−（Ｅ）を出力し、復号化処理部１−２へ入力する。復号化処理部１−２では、圧縮サブデータ１−（Ｅ）に対して復号化処理を行い、ベースバンドのサブデータを伸張データ１−（Ｃ）として重畳処理部１−３に出力する。そして、重畳処理部１−３において、一時記憶されているメインデータにサブデータが重畳された重畳データが出力される。
【００２０】
以上述べたように、上記実施形態では、重畳するサブデータを圧縮符号化し、サブデータ記憶部１−４に記憶する。そして、必要に応じて（例えば、メインデータの１フレームまたはそれ以上の復号処理が終了した後、或いは指定された割り込み時間やタイミングなどで）、圧縮サブデータを復号して先に復号されたメインデータに重畳するようにしている。これにより、メモリ容量を大幅に削減することが可能となり、システムの小型化・低価格化を高めることが可能となる。
【００２１】
例えば、ＳＤＴＶ形式の映像重畳システムを一例に挙げると、ＳＤＴＶ形式の１フレーム分の映像データは約７００Ｋバイトである。仮に、１フレームの半分を映像重畳するには、重畳するデータを約３５０Ｋバイト蓄積する必要がある。更に、１０パターンの映像重畳を切り替えて行うとすると、約３．５Ｍバイトものメモリ容量が必要となる。上記実施形態では、サブデータの圧縮符号化処理の設定を高画質とすると、圧縮サブデータ１−（Ｅ）のデータサイズは約２１Ｋバイトとなり、この例では、およそ９４％のメモリ容量の削減が可能となる。
【００２２】
なお、この発明は上記実施形態に限定されるものではない。例えば、対象とする圧縮データを画像の圧縮データとしたが、音声データや文字データといった種々の情報に対応することが可能である。また、対象とする圧縮データの圧縮符号化方式をＪＰＥＧとしたが、その他の圧縮方式に対応することも可能である。
【００２３】
ここで本実施形態では、圧縮メインデータ１−（Ａ）がネットワークＮＷなどの伝送インフラから受信した圧縮データとしたが、伝送インフラだけではなく、ＲＡＭなどのストレージ機器からの入力など、復号装置の外部から入力できる圧縮データであれば良い。
【００２４】
また、圧縮サブデータ１−（Ｅ）は、あらかじめサブデータ記憶部１−４に記憶されているものとしたが、動作途中にネットワークなどの伝送インフラから受信されるデータや、ＲＡＭなどのストレージ機器からの入力データにより、圧縮サブデータ１−（Ｅ）を更新するようにしてもよい。
【００２５】
さらに、本実施形態では、圧縮メインデータ１−（Ａ）と圧縮サブデータ１−（Ｅ）は、同一の圧縮符号化方式により圧縮符号化処理された圧縮データとしたが、異なる圧縮符号化方式であっても良い。この場合の復号装置の構成を図５に示す。第１の復号化処理部１−２１は、圧縮メインデータ１−（Ａ）の符号化方式に対応した復号化処理を行い、第２の復号化処理部１−２２は、圧縮サブデータ１−（Ｅ）の符号化方式に対応した復号化処理を行う。そして、それぞれの圧縮データの復号処理を行ったのちに圧縮データ切替部１−１による切替入力を行うようにする。また、図５の構成において、圧縮メインデータ１−（Ａ）と圧縮サブデータ１−（Ｅ）とが同一の圧縮符号化方式の場合にももちろん適用できる。このようにすると、復号化処理部１−２１，１−２２においてそれぞれ圧縮データの復号が行われるため処理速度を向上させることができる。
【００２６】
また、重畳するサブデータは１種類を想定し、１つのサブデータ記憶部１−４を備え、１種類の圧縮サブデータ１−（Ｅ）だけであったが、システムの要求に応じて重畳するデータの種類が増えた場合には、それに応じた数のサブデータ記憶部と圧縮サブデータを用意することも可能である。この場合、圧縮データ切替部１−１は、圧縮サブデータ数に応じたスイッチング機能を備えるようにする。
【００２７】
ここで、本発明に係る復号装置の構成としては、必ずしも以上に示したものに限られず、種々な構成が用いられてもよい。また、発明は、例えば、本発明に係る処理を実行する方法あるいは方式や、このような方法や方式を実現するためのプログラムや当該プログラムを記録する記録媒体などとして提供することも可能であり、また、種々な装置やシステムとして提供することも可能である。
【００２８】
また、本発明の適応分野としては、必ずしも上記示したような監視システムの分野に限られず、本発明は、種々な分野に適応することが可能なものである。  
また、本発明に係る復号装置などにおいて行われる各種の処理としては、例えばプロセッサやメモリ等を備えたハードウェア資源においてプロセッサがＲＯＭ（Read Only Memory）に格納された制御プログラムを実行することにより制御される構成が用いられてもよく、また、例えば、当該処理を実行するための各種機能部が独立したハードウェア回路として構成されてもよい。
【００２９】
また、本発明は上記の制御プログラムを格納したフロッピー（登録商標）ディスクやＣＤ（Compact Disk）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【００３０】
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００３１】
【図１】一般的な監視システムの構成を示す概略図。
【図２】この発明に係わる復号装置の一実施形態を示すブロック図。
【図３】図２に示す復号装置の動作の手順とその内容を示すフローチャート。
【図４】図２に示す復号装置における復号動作を示すタイムチャート。
【図５】図２に示す復号装置の他の構成を示すブロック図。
【符号の説明】
【００３２】
１−１…圧縮データ切替部、１−２…復号化処理部、１−３…重畳処理部、１−４…サブデータ記憶部、１−（Ａ）…圧縮メインデータ、１−（Ｂ）…圧縮データ、１−（Ｃ）…伸張データ、１−（Ｄ）…重畳データ、１−（Ｅ）…圧縮サブデータ。
【図１】
0004532375.tif 000002
【図２】
0004532375.tif 000003
【図３】
0004532375.tif 000004
【図４】
0004532375.tif 000005
【図５】
0004532375.tif 000006